(57)【要約】【課題】防水シール剤の劣化を防止し、防水シートの耐用年数を飛躍的に向上させると共に、施工も容易に行うことを目的とする。【解決手段】床面２０からパラペット部の立ち上がり壁面２１に沿わせて防水シート２３が敷設され、防水シート２３の上縁に沿って水平方向に箱目地１０が形成され、箱目地１０に基板２７が差込まれ、箱目地１０内にはシール剤２４が充填されて開口部が蓋部材３２で蓋閉することで基板２７が固定されていると共に、基板２７には防水シート２３表面に沿って垂下する内側垂下片２８と外側垂下片２９とが一体に形成され、内側垂下片２８下方に延在する防水シート２３表面と外側垂下片２９内側との間の空間にシール剤３５が充填され、防水シート２３表面から外側垂下片２９の下縁にかけて蓋部材３２で密閉されてなる。【選択図】  図１
2005171531.tif 000002
【特許請求の範囲】
【請求項１】
床面からパラペット部の立ち上がり壁面に沿わせて防水シートが敷設され、該防水シートの上縁に沿って前記壁面に水平方向に箱目地が形成され、該箱目地に基板が差込まれると共にシール剤が充填されて前記基板が固定され、前記箱目地の開口部に臨む前記シール剤が蓋部材で蓋閉され、前記基板には前記防水シート表面に沿って垂下する内側垂下片と該内側垂下片と平行に前記基板外縁より垂下された外側垂下片とが一体に形成され、前記内側垂下片下方に延在する前記防水シート表面と前記外側垂下片内側との間の空間にシール剤が充填され、該シール剤の前記防水シート表面から前記外側垂下片の下縁にかけての下面が蓋部材で密閉されてなる防水シートの立ち上がり壁面の納め構造。
【請求項２】
請求項１の防水シートの立ち上がり壁面の納め構造において、前記壁面に形成された箱目地に差込固定される基板の差込端が、先端より前記水平方向凹溝の上側内面方向へ折り返され、該折り返し部の復元弾性により前記基板が抜け出ないように前記箱目地内に保持されてなる防水シートの立ち上がり壁面の納め構造。
【請求項３】
請求項２の防水シートの立ち上がり壁面の納め構造において、壁面に沿って接続された基板の突合せ部が、両基板にわたる幅を有し断面がＬ字状をなし、水平片の先端の肉厚が厚くされたジョイナー金物で覆われ、かつ該ジョイナー金物の水平片の先端が、前記型材の基板折り返し部に強制的に挿入され、該挿入により前記型材の折り返し部が水平方向凹溝内面に押圧されてなる防水シートの立ち上がり壁面の納め構造。
【請求項４】
請求項２または３の防水シートの立ち上がり壁面の納め構造において、箱目地内に差し込まれた基板折り返し部に向けて適宜間隔毎に、先端に拡径部を有するピンが強制的に挿入され、該挿入により前記型材の折り返し部が水平方向凹溝内面に押圧されてなる防水シートの立ち上がり壁面の納め構造。
【請求項５】
請求項１の防水シートの立ち上がり壁面の納め構造において、前記壁面に形成された箱目地に挿入される基板端が、前記水平方向凹溝の上下幅より薄くかつ先端方向へ向けテーパ状に細くなる厚肉部とされ、該厚肉部の表面に前記水平方向凹溝の内側面に圧接する板ばね状の弾性部材が設けられてなる防水シートの立ち上がり壁面の納め構造。
【発明の詳細な説明】
【技術分野】
【０００１】
本発明は、建築物のパラペット部におけるシール剤の劣化を防止すると共に、防水シートの耐用年数の向上を図るための防水シートの立ち上がり壁面の納め構造に関するものである。
【背景技術】
【０００２】
図８は、従来の建築物のパラペット部おける防水工法を示す部分断面図である。
図８において、１は防水シートなどの防水層であって、床面(図示せず)から立ち上がる壁３の内面に沿って貼り付けられている。
【０００３】
そして、防水層１の上部１ａは押さえ金物２によって壁３を構成する下地コンクリートにビスなどの締結具１ｂにより固定され、この締結具１ｂの表面側にバックアップ材５を設けた上でシール剤４を充填し、壁面３と押さえ金物２の隙間を防水処理することが一般的に行われている(特許文献１)。
【０００４】
しかし、この種防水処理面は、シール剤４表面が大気中に露出しているため、風雨や日光に晒されて紫外線やオゾンの影響を受けて経年劣化が進み、やがてシール剤４の体積収縮やひび割れが発生する。
【０００５】
このため、例えば１０年程度で水密性が失われ、雨水が浸透し、防水機能が著しく消失する問題があった。
ところで、近年、住宅建物に３１年〜５０年の耐用年数が要求されるようになり、１００年住宅というようなうたい文句で住宅が販売されるような時代の趨勢となっている。
【０００６】
従って、従来防水施工が困難であった上述のような屋上部分の防水についても耐久性が要求されるようになってきている。
このような要請を満たすものとして本願出願人は、図９に示すような防水シートの端末処理構造を提案した。
【０００７】
これは、シーリング部の経年劣化を防止する目的で、屋上の床面２０周囲に設けられ上部に笠木２２などが形成されたパラペット部の立ち上がり壁２１に沿わせて敷設した防水シート２３において、立ち上がり壁２１に沿わせた部分２３ａの端末に盛り付けられるシール剤２４を、端末押さえ部材２５で押さえることにより外気並びに太陽光線から遮断し、さらに端末押さえ部材２５の上部にシール剤３５を充填してその外面を端末押さえ部材２５に嵌合部２９でスナップ的に嵌合取付けられるカバー材３０の上部片３０ａで密閉し、下部片３０ｂと端末押さえ部材２５との間は、仮想線で示すようにシール剤３６を充填して止着具２６を含めてシールすることで外気並びに太陽光線からシール剤２４、３５、３６を遮断し経年劣化を押さえたものである(特許文献２)。
【０００８】
また、これに類似した構造として図１０に示すように、パラペット部の立ち上がり壁２１に箱目地１０を形成し、ここに押さえ部材２５の基部２５ａを挿入し、この部分にシール剤３５を盛り付け、カバー材３０の上部片３０ａで密閉し、太陽光線からシール剤３５を遮断し経年劣化を押さえたものなども考えられる。
【特許文献１】特開平５−３０２４１４号公報
【特許文献２】特開２００３-２９３５２８号公報
【発明の開示】
【発明が解決しようとする課題】
【０００９】
この構成により、シール剤２４、３５、３６の外気、紫外線による劣化は、かなり改善されたが、図示されているようにパラペット部の立ち上がり壁２１に防水シートの収まり部となる凹入部１６や図１０に示したように端末押さえ部材２５の納まる箱目地１０を形成し、しかも取付けに際しては必要箇所にビス等の締結部材２６を打ち込む孔を多数穿設しなければならないので施工に非常に手間がかかる問題があった。
【００１０】
本発明はこのような問題点を解決するためになされたもので、防水シール剤の劣化を防止し、防水シートの耐用年数を飛躍的に向上させると共に、施工も容易に行うことを目的としている。
【課題を解決するための手段】
【００１１】
本発明の防水シートの立ち上がり壁面の納め構造は、床面からパラペット部の立ち上がり壁面に沿わせて防水シートが敷設され、該防水シートの上縁に沿って水平方向に箱目地が形成され、該箱目地に基板が差込まれ、箱目地内にはシール剤が充填されて開口部が蓋部材で蓋閉することで前記基板が固定されていると共に、前記基板には前記防水シート表面に沿って垂下する内側垂下片と該内側垂下片と平行に前記基板外縁より垂下された外側垂下片とが一体に形成され、前記内側垂下片下方に延在する前記防水シート表面と前記外側垂下片内側との間の空間にシール剤が充填され、該シール剤の前記防水シート表面から前記外側垂下片の下縁にかけての下面が蓋部材で密閉されてなるものである。
【００１２】
このように、防水のためのシール剤をカバー材でカバーすることによって、紫外線やオゾンさらには雨風の影響から遮断し、シール剤の耐久性を向上させるのである。
また、型材を壁面に取り付ける際には、立ち上がり壁側面に箱目地を一本形成するだけで良いので、施工も簡略化される。
【発明を実施するための最良の形態】
【００１３】
以下に本発明の実施の形態を図面に基づいて説明する。
図１は、この発明の実施の形態を表した建築物のパラペット部の要部断面図である。
図において、２０は屋上の床面、２１は、床面２０の外周縁から立設した立ち上がり壁を示す。なお、立ち上がり壁２１の上部に笠木等が設けられる場合があるが図示は省略されている。
【００１４】
床面２０には防水シート２３が敷設され、この防水シート２３は立ち上がり壁２１の内面に沿って立ち上げ部２３ａとされ、これらは床面２０、立ち上がり壁２１に添着されている。防水シート２３、２３ａは塩化ビニル、ポリオレフィン系樹脂、ブチルゴム、アスファルト等種々の材料が使われる。一般的にこの防水シート２３、２３ａの床面２０、立ち上がり壁２１内面への添着の方法は、下地コンクリートと防水シート２３、２３ａに直接接着剤を塗布して添着する接着工法と、下地コンクリートに直接接着しない絶縁工法とがあるが、本発明はどの工法にも対応できる。
【００１５】
そして防水シート２３ａの端末２３ｂに沿って立ち上がり壁２１に水平方向に連続する凹溝が箱目地１０として形成されている。
この箱目地１０は、防水シート２３ａを敷設後、端末２３ｂに沿って掘削形成される。
【００１６】
なお、この箱目地１０の深さＢは、立ち上がり壁２１を構成するコンクリート駆体の強度を損ねない範囲の深さとされている。
そして、防水シート２３の上縁２３ｂに沿って捨てシール剤１１を盛り付けた上で、箱目地１０に基板２７が差込固定されている。
【００１７】
この基板２７の下面側には防水シート２３ａ表面側へ垂下する内側垂下片２８とこの内側垂下片２８と平行に基板２７外縁より垂下された外側垂下片２９とが一体形成され、基板２７、内側垂下片２８、外側垂下片２９は、いずれもアルミ軽合金よりなる引抜き成形などにより一体成形された型材とされている。
【００１８】
そして、基板２７の箱目地１０に挿入される先端部分は、上方へ「レ」字状に折り返され、無負荷時における折り返し部３０の先端は、箱目地１０の幅Ｙを越えて立ち上がるようにされており、箱目地１０内に強制的に挿入したとき、折り返し部３０が上側内面に弾性的に圧接嵌合するようにされている。
【００１９】
そして、この折り返し部３０の箱目地１０上側内面１０ａに接する面には、抜け出し時の抵抗となるように突条３１が形成されている。
基板２７の挿入された箱目地１０内には、シール剤２４が充填され、箱目地１０内に雨水が流入しないようにシールされている。
【００２０】
また、箱目地１０の開口部には、盛り上げたシール剤２４を覆う蓋部材３２が取り付けられ、内面に突設した係り合い突条３３ａをシール剤２４内に埋め込ませた状態でシール剤２４を硬化させることで蓋部材３２ａが固定支持され、かつ、この蓋部材３２ａによってシール剤２４が外気及び太陽光線から遮断されるように構成されている。
【００２１】
この蓋部材３２ａも耐候性に優れた材質とされ、例えばアルミ軽合金の引抜き成形体などとされる。
そして、立ち上がり部の防水シート２３ａ表面と外側垂下片２９との間の空間には、奥方にバックアップ材３４を配置してシール剤３５が充填され、このシール剤３５の下面に防水シート２３ａ表面から外側垂下片２９下端との間を連結して蓋部材３２ｂが設けられ、この蓋部材３２ｂも内面に突設した係り合い突条３３ｂをシール剤３５内に埋め込ませた状態で硬化させることで固定支持され、かつ、この蓋部材３２ｂによってシール剤３５が外気及び太陽光線から遮断されるように構成されている。
【００２２】
従って、この構成によれば、防水シート２３ａ上縁をシールするシール剤２４、３５が、乾燥や紫外線により劣化されるのが防止され、長期間、良好なシール性が保たれるのである。
【００２３】
なお、説明のため各構成部材の断面における大きさはやや誇張して示されており、例えば防水シート２３、２３ａの厚さは２〜３ミリ、基板２７、内側垂下片２８、外側垂下片２９等の厚さも２〜３ｍｍとされる。
【００２４】
図１、図２において基板２７は、図に対し直角方向へ連続しているが一定長さとされているため、立ち上がり壁２１の長さがこれより長い場合は、基板２７を接続する必要がある。
【００２５】
接続部は、図３に示すように単に付き合わせただけであると突合せ部２７ａから雨水が浸透するので、接続配置された基板２７、２７の突合せ部２７ａの表面は、両基板２７、２７にわたる幅を有した断面Ｌ字状のジョイナー金物３７で覆われる。
【００２６】
このジョイナー金物３７は、図１、図２に示すように水平片３８の先端３８ａの肉厚が滑らかな曲線を描いて厚くされ、この水平片３８の先端３８ａを、基板折り返し部３０に強制的に挿入することによって基板２６の折り返し部３０が水平方向箱目地１０内面に押圧されるように構成されている。また、折り返し部３０の内面には水平片３８先端３８ａの肉厚部に係合する突起３０ａ、３０ａが設けられ、これを越えてジョイナー金物３７の先端３８ａを挿入すれば、突起３０ａ、３０ａによりジョイナー金物３７が容易に抜けないように固定されるように構成されている。
【００２７】
さらに水平片３８の箱目地１０に挿入される部分にシール剤２４が、また付き合わされた基板２７、２７上面にもシール剤２４ａが盛り付けられ、ジョイナー金物３７の水平片３８を重ねることで突合せ部２７ａが確実にシールされるように構成されている。
【００２８】
さらに、水平片３８の箱目地１０への挿入部分は蓋部材３２ａでカバーされている。また、垂直片３９の下端は外側垂下片２９外面に形成した受部４０に受けられて固定されている。
【００２９】
なお、基板２７の箱目地１０に対する固定をより確実とするため、図３に示すように要所に箱目地１０内の基板折り返し部３０へ向けて、ジョイナー金具３７の水平片３８と同様な先端形状を有するピン３８ｐを差し込み、先端膨出部３８ｑによって、折り返し片３０の箱目地１０内に対する接触圧力を高めても良い。
【００３０】
図４は、他の実施の形態である防水シートの立ち上がり壁面の納め構造の断面図であり、基板２７に一体形成された外側垂下片２９の下部にくびれ部２９ａを介して蓋部材３２ｂを一体に設けたものである。また、ジョイナー金物３７も同様に垂直片３９の下端部にくびれ部３９ａを介して蓋部材３２ｂに沿う延長部４１が設けられ、この延長部４１で外側垂直片２９の接合部下面も覆うようにされている。
【００３１】
なお、外側垂直片２９の下部外面に部分拡大図に示すように、先端が膨出された突起４２が設けられ、これに対応するジョイナー金物３７の垂直片３９内面に、互いに対向する係合突条４３ａ、４３ａを有するリブ４３、４３が設けられ、互いにスナップ的に嵌合することで、外側垂直片２９にジョイナー金物３７が固定されるようにされている。
【００３２】
また、ジョイナー金物３７の水平片３８の先端３８ａには、上面に凹部４４…が形成され、折り返し部３０内面に形成された突起３０ａと係合するようにされ、押し込まれた先端３８ａによって折り返し部３０が拡開されると同時に突起３０ａが凹部４４に係合し、どちらも箱目地１０から抜け出しにくくなるように構成されている。
【００３３】
なお、他の構成部分は先に説明したものと同じであるので、同一部分には同一符号を付すことで詳細な説明は省略する。
図５はさらに他の実施の形態である防水シートの立ち上がり壁面の納め構造を示し、基板２７に一体形成された外側垂下片２９下端の蓋部材３２ｂ、ジョイナー金物３７の垂直片３９下端の延長部４１は同じであるが、これらをスナップ的に係止する、先端が膨出された突起４２と、これに対応する係合突条４３ａ、４３ａを有するリブ４３、４３をそれぞれ蓋部材３２ｂと延長部４１の先端側に設けたものである。
【００３４】
なお、外側垂下片２９下端部のくびれ部２９ａ、並びにジョイナー金物３７の垂直片３９下端部のくびれ部３９ａの断面形状として、部分拡大図のくびれ部３９ａに示すように、肉厚が断続的に変化する形態としても良い。
【００３５】
また、基板２７の中間部にジョイナー金物３７の水平片３８先端３８ａを受ける受け部４５が形成され、ジョイナー金物３７の受け部４５と基板２７の箱目地１０に対する係合部３０とを別体に設けたものである。
【００３６】
また、この実施の形態では、基板２７の先端部分の箱目地１０内には、エポキシ樹脂などの接着剤が充填される。
他の構成部分は先に説明したものと同じであるので、同一部分には同一符号を付すことで詳細な説明は省略する。
【００３７】
図６はさらに他の実施の形態である防水シートの立ち上がり壁面の納め構造を示すが、図５に示した実施の形態における基板２７先端の折り返し部３０に代えて、弾性を有する膨出部４７としたものである。なお、他の構成部分は先に説明したものと同じであるので、同一部分には同一符号を付すことで詳細な説明は省略する。
【００３８】
図７は、更に他の実施の形態の防水シートの立ち上がり壁面の納め構造を示す断面図であり、基板２７先端に設けた外側垂下片２９下端の蓋部材３２ｂを、外側垂下片２９下部に形成した係合溝２９ｃに係合させ、さらにシール剤３５中に延びる係り合い突条３３ｂ、３３ｂを二本設け、さらにジョイナー金物３７の垂直片３９下端が型材２６の外側垂下片下端の受け部４０に係止するように構成したものである。
【００３９】
また、基板２７の中間部にジョイナー金物３７の水平片３８先端を受ける受け部４５が形成され、ジョイナー金物３７の受け部４５と基板２７の箱目地１０に対する係合部４８とを別体に設けたものである。
【００４０】
この実施の形態の防水シートの立ち上がり壁面の納め構造では、基板２７先端の係合部４８は、先端方向へ向け次第に肉厚が減少するテーパ面を有した膨出部４９とされ、その表面に箱目地１０内に挿入すれば上側内面に圧接される図示のような波状に形成された板ばね状の弾性部材５０が取り付けられている。
【００４１】
したがって、この実施の形態の防水シートの立ち上がり壁面の納め構造の場合、基板２７の先端を箱目地１０内に挿入すれば、板ばね状の弾性部材５０が箱目地１０内に圧入され、容易に抜け出ないように保持される。
【００４２】
また、この実施の形態の場合も、基板２７の先端部分の箱目地１０内には、エポキシ樹脂などの接着剤が充填される。
以上、いくつかの実施の形態にかかる防水シートの立ち上がり壁面の納め構造を示したが、箱目地１０に対する基板２７先端の形状と、蓋部材３２ｂに対する外側垂下片２９の係合関係の構造は、特に図示した組み合わせとする必要はなく、それぞれ必要に応じて任意の組み合わせに出来るのはいうまでもない。
【図面の簡単な説明】
【００４３】
【図１】本発明の実施の形態である防水シートの立ち上がり壁面の納め構造の断面図である。
【図２】図１の要部拡大図である。
【図３】図１に示した防水シートの立ち上がり壁面の納め構造の斜視図である。
【図４】本発明の他の実施の形態である防水シートの立ち上がり壁面の納め構造の断面図である。
【図５】本発明のさらに他の実施の形態である防水シートの立ち上がり壁面の納め構造の断面図である。
【図６】本発明のさらに他の実施の形態である防水シートの立ち上がり壁面の納め構造の断面図である。
【図７】本発明のさらに他の実施の形態である防水シートの立ち上がり壁面の納め構造の要部断面図である。
【図８】従来の防水シートの立ち上がり壁面の納め構造の説明断面図である。
【図９】他の従来の防水シートの立ち上がり壁面の納め構造の説明断面図である。
【図１０】さらに他の従来の防水シートの立ち上がり壁面の納め構造の説明断面図である。
【符号の説明】
【００４４】
２０      屋上床面
２１      立ち上がり壁
２３      防水シート
２４      シール材
２５      押さえ金物
２７      基板
２８      内側垂下片
２９      外側垂下片
３０      折り返し部
３１      突条
３２ａ    蓋部材
３２ｂ    蓋部材
３３ａ    係り合い突条
３３ｂ    係り合い突条
３５      シール剤
３７      ジョイナー金物
３８      水平片
３８ａ    先端
３９      垂直片
４０      受部
４１      延長部
【図１】
2005171531.tif 000003
【図２】
2005171531.tif 000004
【図３】
2005171531.tif 000005
【図４】
2005171531.tif 000006
【図５】
2005171531.tif 000007
【図６】
2005171531.tif 000008
【図７】
2005171531.tif 000009
【図８】
2005171531.tif 000010
【図９】
2005171531.tif 000011
【図１０】
2005171531.tif 000012